(57)【要約】【課題】  第２筐体を第１筐体に対してスライドさせることができると共に回動させることができる携帯機器を提供する。【解決手段】  開閉機構４を用いて第１筐体２の上面を第２筐体３で覆う閉成状態と、第１筐体２の上面を露出させる開成状態とを形成する。開閉機構４が、第２筐体３に設けられたガイド溝５と、このガイド溝５にスライド係合すると共に第１筐体２に設けられたガイド部材６とを備える。ガイド部材６が、第２筐体３に設けられたケース６１と、このケース６１に回動可能に設けられたシャフト６２と、このシャフト６２に取り付けられガイド溝５に回動することなくスライド係合するスライド部材６３と、ケース６１に対するシャフト６２の回動を制御するカム機構７とを有し、第１筐体２及び第２筐体３を互いにスライドさせると共に互いにシャフト６２を軸に回動させるように構成することにより、前記課題を解決した。【選択図】        図４
2007148817.tif 000002
【特許請求の範囲】
【請求項１】
第１筐体と第２筐体とからなり、開閉機構を用いて前記第１筐体の上面を前記第２筐体で覆う閉成状態と、前記第１筐体の上面を露出させる開成状態とを形成する携帯機器であって、
前記開閉機構が、前記第１筐体及び前記第２筐体のいずれか一方の筐体に設けられたガイド溝と、このガイド溝にスライド係合すると共に前記第１筐体及び前記第２筐体のいずれか他方の筐体に設けられたガイド部材とを備え、
前記ガイド部材が、前記他方の筐体に設けられたケースと、このケースに回動可能に設けられたシャフトと、このシャフトに取り付けられ、前記ガイド溝に回動することなくスライド係合するスライド部材と、前記ケースに対する前記シャフトの回動を制御するカム機構とを有し、
前記第１筐体及び前記第２筐体を互いにスライドさせると共に互いに前記シャフトを軸に回動させるように構成したことを特徴とする、携帯機器。
【請求項２】
前記カム機構が、前記シャフトに固定された第１カムと、前記シャフトの軸方向に移動可能で前記第１カムと面接触する第２カムと、前記第１カムの接触面及び前記第２カムの接触面の少なくとも一方に設けられるカム凸部と、前記第１カムの接触面及び前記第２カムの接触面の少なくとも他方に設けられ、前記カム凸部と係合して前記第１筐体に対する前記第２筐体の位置を所定の位置にロック状態に保持するカム凹部とを有することを特徴とする、請求項１に記載の携帯機器。
【請求項３】
前記カム機構が、前記閉成状態のとき、前記第１筐体及び前記第２筐体を互いに回転させて開く方向に付勢するカム凸部及びカム凹部を有し、
前記ガイド溝及び前記ガイド部材を前記一方の筐体及び前記他方の筐体に前記第１筐体及び前記第２筐体の回動を規制するように設け、前記第１筐体及び前記第２筐体の少なくとも一方に、前記第１筐体及び前記第２筐体を前記閉成状態から互いにスライドさせて開成状態になったとき、前記カム機構による前記第１筐体及び前記第２筐体の回転を許容すると共に、前記第１筐体に対する前記第２筐体が所定の角度になったとき、その第１筐体及び第２筐体の回転を停止する回動許容部を設けたことを特徴とする、請求項１又は２に記載の携帯機器。
【請求項４】
前記ガイド部材が、さらに前記スライド部材に出没可能でかつ突出する方向に付勢され、前記ガイド溝に押圧される凸部材を有することを特徴とする、請求項１〜３のいずれか１項に記載の携帯機器。
【請求項５】
前記ケースに対する前記シャフトの回動をダンパー効果を介して行うダンパー機構を設けたことを特徴とする、請求項１〜４のいずれか１項に記載の携帯機器。
【発明の詳細な説明】
【技術分野】
【０００１】
本発明は、例えば携帯電話機や携帯端末機のような携帯機器を構成する第１筐体と第２筐体を互いに重ね合わせた状態で相対的に長手方向に開閉可能にスライドさせる際に用いて好適な携帯機器に関するものである。
【背景技術】
【０００２】
携帯電話機等の携帯機器において、キーボードやマイク等を上面に設けた送話部としての第１筐体と、ディスプレイやスピーカー等を上面に設けた受話部としての第２筐体とを有し、これらの第１筐体と第２筐体が重なり合って第２筐体で第１筐体の上面を覆う閉成状態と、第２筐体を第１筐体に対して長手方向へスライドさせて第１筐体の上面を露出させる開成状態とを作り出す、携帯機器付きのものが市場に出回っている。このような携帯機器としては、下記する特許文献１に記載されたものが公知である。
【特許文献１】特開２００４−２３５８９７号公報
【発明の開示】
【発明が解決しようとする課題】
【０００３】
この特許文献１に記載されたものは、第２筐体の両側部にその後端部近傍から先端部近傍までの長手方向に延びるガイド溝を設けると共に、第１筐体の両側部の中央部と先端部近傍の２箇所にそれぞれガイド溝に係合するガイド部材を設けて、第２筐体の両側部と第１筐体の両側部とを互いに直線方向にスライド係合させることができるという構成のものであった。ガイド部材は、ケースに出没可能でかつ突出する方向に付勢されているボールベアリングを有し、このボールベアリングがガイド溝に押圧されているために、第２筐体を第１筐体に対してスライドさせている途中でこのスライドを停止すると、ボールベアリングとガイド溝との接触による摩擦力によってその位置に第２筐体を停止することができる。その結果、第２筐体を第１筐体に対して所望の位置に停止させることができる。第２筐体は、第１筐体に対して直線方向にスライドするが、第１筐体に対する角度は同じであるので、例えば、キーボードの面とディスプレイの表示画面とが略平行に位置されている場合には、ディスプレイに表示された画像を見ながらキーボードを操作し難いことがあり、使い勝手が悪く、ディスプレイを有効に利用することができなかった。
【０００４】
本発明は、前記課題を解決するためになされたものであって、その目的は、第２筐体を第１筐体に対してスライドさせることができると共に回動させることができる携帯機器を提供することにある。
【課題を解決するための手段】
【０００５】
前記の目的を達成するための本発明に係る携帯機器は、第１筐体と第２筐体とからなり、開閉機構を用いて前記第１筐体の上面を前記第２筐体で覆う閉成状態と、前記第１筐体の上面を露出させる開成状態とを形成する携帯機器であって、前記開閉機構が、前記第１筐体及び前記第２筐体のいずれか一方の筐体に設けられたガイド溝と、このガイド溝にスライド係合すると共に前記第１筐体及び前記第２筐体のいずれか他方の筐体に設けられたガイド部材とを備え、前記ガイド部材が、前記他方の筐体に設けられたケースと、このケースに回動可能に設けられたシャフトと、このシャフトに取り付けられ、前記ガイド溝に回動することなくスライド係合するスライド部材と、前記ケースに対する前記シャフトの回動を制御するカム機構とを有し、前記第１筐体及び前記第２筐体を互いにスライドさせると共に互いに前記シャフトを軸に回動させるように構成したことを特徴とする。
【０００６】
この発明によれば、一方の筐体にガイド溝を設けると共に他方の筐体にガイド溝にスライド係合するガイド部材を設けたので、第１筐体及び第２筐体を互いにスライドさせることができる。また、ガイド部材が、他方の筐体に設けられたケースと、このケースに回動可能に設けられたシャフトと、このシャフトに取り付けられ、ガイド溝に回動することなくスライド係合するスライド部材と、ケースに対するシャフトの回動を制御するカム機構とを有するので、第１筐体及び第２筐体を互いにシャフトを軸に回動させることができる。
【０００７】
本発明に係る携帯機器において、前記カム機構が、前記シャフトに固定された第１カムと、前記シャフトの軸方向に移動可能で前記第１カムと面接触する第２カムと、前記第１カムの接触面及び前記第２カムの接触面の少なくとも一方に設けられるカム凸部と、前記第１カムの接触面及び前記第２カムの接触面の少なくとも他方に設けられ、前記カム凸部と係合して前記第１筐体に対する前記第２筐体の位置を所定の位置にロック状態に保持するカム凹部とを有することが好ましい。また、本発明に係る携帯機器において、前記カム機構が、前記閉成状態のとき、前記第１筐体及び前記第２筐体を互いに回転させて開く方向に付勢するカム凸部及びカム凹部を有し、前記ガイド溝及び前記ガイド部材を前記一方の筐体及び前記他方の筐体に前記第１筐体及び前記第２筐体の回動を規制するように設け、前記第１筐体及び前記第２筐体の少なくとも一方に、前記第１筐体及び前記第２筐体を前記閉成状態から互いにスライドさせて開成状態になったとき、前記カム機構による前記第１筐体及び前記第２筐体の回転を許容すると共に、前記第１筐体に対する前記第２筐体が所定の角度になったとき、その第１筐体及び第２筐体の回転を停止する回動許容部を設けることが好ましい。また、本発明に係る携帯機器において、前記ガイド部材が、さらに前記スライド部材に出没可能でかつ突出する方向に付勢され、前記ガイド溝に押圧される凸部材を有することが好ましい。また、本発明に係る携帯機器において、前記ケースに対する前記シャフトの回動をダンパー効果を介して行うダンパー機構を設けることが好ましい。
【発明の効果】
【０００８】
以上説明したように本発明に係る携帯機器によれば、一方の筐体にガイド溝を設けると共に他方の筐体にガイド溝にスライド係合するガイド部材を設け、かつ、ガイド部材が、他方の筐体に設けられたケースと、このケースに回動可能に設けられたシャフトと、このシャフトに取り付けられ、ガイド溝に回動することなくスライド係合するスライド部材と、ケースに対するシャフトの回動を制御するカム機構とを有するので、第２筐体を第１筐体に対してスライドさせることができると共に回動させることができる。
【発明を実施するための最良の形態】
【０００９】
以下、本発明に係る携帯機器の一例を添付図面に基づいて詳述する。
【００１０】
図１〜図４は本発明に係る携帯機器の一例を示す図である。図５及び図６は本発明に係るガイド部材の一例を示す図である。本発明に係る携帯機器は、図１〜図４に示すように、第１筐体２と第２筐体３とからなり、開閉機構４を用いて第１筐体２の上面を第２筐体３で覆う閉成状態（図１（ａ−１）及び（ｂ−１）参照。）と、第１筐体２の上面を露出させる開成状態（図１（ａ−２）、（ｂ−２）、（ａ−３）、（ｂ−３）、図２、図３（ａ−２）、（ｂ−２）、（ａ−３）、（ｂ−３）参照。）とを形成するものである。なお、本実施の形態では第１筐体２及び第２筐体３を閉成状態から互いにスライドさせて第１筐体２の上面を露出させた開成状態（スライド開成状態（図１（ａ−２）、（ｂ−２）、図２、図３（ａ−２）、（ｂ−２）参照。）ということがある。）と、このスライド開成状態からさらに第１筐体２及び第２筐体３を回動させた開成状態（フルオープン開成状態（図１（ａ−３）、（ｂ−３）、図３（ａ−３）、（ｂ−３）参照。）ということがある。）との２つの開成状態がある。
【００１１】
本発明に係る携帯機器１としては、特に限定されず、例えば、携帯電話機、ザウルス（商標）等の携帯端末機、電卓、ポケットコンピュータ、携帯ゲーム機等が挙げられる。なお、本発明において携帯機器としては、その他、灰皿、ケース蓋等も含まれる。すなわち、２つの筐体を互いに移動させるものであれば特に限定されない。また、本実施の形態では、携帯機器としては特に限定せずに説明する。
【００１２】
この本発明に係る携帯機器１は、開閉機構４が、第１筐体２及び第２筐体３のいずれか一方の筐体、例えば、第２筐体３に設けられたガイド溝５と、このガイド溝５にスライド係合すると共に第１筐体２及び第２筐体３のいずれか他方の筐体、例えば、第１筐体２に設けられたガイド部材６とを備え、ガイド部材６が、第１筐体２に設けられたケース６１と、このケース６１に回動可能に設けられたシャフト６２と、このシャフト６２に取り付けられ、ガイド溝５に回動することなくスライド係合するスライド部材６３と、ケース６１に対するシャフト６２の回動を制御するカム機構７とを有し、第１筐体２及び第２筐体３を互いにスライドさせると共に互いにシャフト６２を軸に回動させるように構成したことに特徴がある。
【００１３】
第１筐体２は、キーボード（図示せず）等を上面に有しているものである。第１筐体２は、横長の略矩形状に形成されている。すなわち、第１筐体２は、上下方向の長さが短く、左右方向（幅方向）の長さが長い横長の略矩形状に形成されている。この第１筐体２の両側部は、上面から上方にそれぞれ突出してガイド部２１として形成されている。すなわち、第１筐体２は、上面が略凹状に形成されていると共に、平面視横長の略矩形状に形成されている。第１筐体２のガイド部２１の内面には、ガイド部材６を嵌合して収容するガイド部材収容部２２が設けられている。このガイド部材６は、カム機構７を備えたものであり、両ガイド部の内面に収容するようにしてもよいし、図示例のように一方のガイド部２１にのみ収容するようにしてもよい。この場合、一方のガイド部２１にのみカム機構７を備えたガイド部材６を収容する場合には、他方のガイド部には、カム機構を備えないガイド部材すなわちボールユニット１３を収容して第１筐体２及び第２筐体３を互いにスライドさせると共に互いにシャフト６２を軸に回動させるようにしてもよい。
【００１４】
第２筐体３は、例えば、ＬＣＤなどのディスプレイ３１、スピーカー（図示せず）、カメラ（図示せず）等を有している。第２筐体３は、第１筐体２のガイド部２１間に嵌合して第１筐体２に重ね合すことができる横長の略矩形状に形成されている。第２筐体３の両端面には、ガイド溝５がそれぞれ設けられている。これらガイド溝５に第１筐体２のガイド部材６がスライド係合して、第１筐体２と第２筐体３とが互いに重ね合わされてキーボードを閉塞する閉成状態からキーボードを露出させるスライド開成状態までの間で互いに第１筐体２と第２筐体３とがスライドし得ると共に、第１筐体２と第２筐体３とが互いに回動し得るようになっている。なお、第２筐体３にガイド溝５を設けると共に第１筐体２にガイド部材６を設けたが、第１筐体にガイド溝を設けると共に第２筐体にガイド部材を設けてるようにしてもよい。
【００１５】
ガイド部材６は、ガイド溝５と係合して第１筐体２と第２筐体３を互いにスライド可能に支持すると共に互いに回動可能に支持するものである。ガイド部材６は、特に限定されず、図４〜図６に示すように、第１筐体２のガイド部材収容部２２に嵌合されて収容されるケース６１と、このケース６１に回動可能に設けられたシャフト６２と、このシャフト６２に取り付けられ、ガイド溝５に回動することなくスライド係合するスライド部材６３と、ケース６１に対するシャフト６２の回動を制御するカム機構７とを有することが好ましい。
【００１６】
ケース６１は、図４〜図７に示すように、ガイド部材収容部２２に嵌合されて収容される有底の略矩形筒状に形成されている。ケース６１の両側部は、湾曲状に形成されていることが好ましい。ケース６１の底部には、シャフト６２が貫通される貫通孔６１ａが設けられている。貫通孔６１ａは、シャフト６２の径より大きな径、例えば若干大きな径で形成されていることが好ましい。ケース６１内は、底部側がスプリング収容部６１ｂとして形成されていると共に、開口部側がカム摺動部６１ｃとして形成されている。スプリング収容部６１ｂは円形状に形成されている。カム摺動部６１ｃは、両側部に係合突部６１ｄを有する略矩形状に形成されている。
【００１７】
シャフト６２は、例えば、円柱状に形成されている。シャフト６２の他端部である後端部は、拡径されたフランジ部６２ａが設けられており、シャフト６２の先端部を貫通孔６１ａにワッシャー６４を介して貫通させることによってシャフト６２がケース６１に回動可能に支持されるようになっている。シャフト６２は、ケース６１の開口部から突出する寸法で形成されている。このケース６１から突出するシャフト６２の一端部である先端部近傍には、径方向に貫通する取付孔６２ｂが設けられている。このシャフト６２の先端部に取付ピン６５を取付孔６２ｂに挿入してスライド部材６３が取り付けられる。
【００１８】
スライド部材６３は、図４〜図６及び図８に示すように、ガイド溝５に回動することなくスライド係合するものである。スライド部材６３は、円筒状に形成された基部６３ａと、この基部６３ａの一端部である先端部に設けられたスライド部６３ｂとからなることが好ましい。基部６３ａの後端部近傍の周面の対向する２箇所には、シャフト６２に取り付けるための取付孔６３ｃが設けられている。基部６３ａは、内部にシャフト６２の先端部が挿嵌される寸法の径で形成されている。スライド部材６３の内形は、先端部近傍から先端部にかけて漸次縮径されて形成されている。すなわち、基部６３ａの先端部の開口部（出没孔６３ｄということがある。）は、他端部（後端部ということがある。）の開口部より径が小さな寸法の径で形成されている。スライド部６３ｂは、基部６３ａの先端部の周縁部にその径方向外方に延びた平板状に形成されている。スライド部６３ｂは、横長の略矩形平板状の両側部をそれぞれ湾曲状に形成されていることが好ましい。スライド部６３ｂの外周には、スライド部材６３のスライドを容易にするためのガイド材６３ｅが設けられていることが好ましい。このスライド部材６３には、凸部材が設けられていることが好ましい。
【００１９】
凸部材は、スライド部材６３の出没孔６３ｄから出没可能でかつ突出する方向に付勢され、ガイド溝５に押圧されるものであることが好ましい。凸部材は、例えば、ボールベアリング６６等であることが好ましい。ボールベアリング６６は、スライド部材６３内に収容されている。このボールベアリング６６は、基部６３ａの他端部の開口部の径より小さな寸法であって出没孔６３ｄの径より大きな寸法の径で形成されており、スライド部材６３内に収容された状態で出没孔６３ｄから一部が突出し得るようになっている。スライド部材６３内のボールベアリング６６とシャフト６２との間には、受座部材６７と付勢部材とが収容されている。
【００２０】
受座部材６７は、ボールベアリング６６を支承するもので、例えば、略円柱状に形成されている。受座部材６７の一端部には、ボールベアリング６６を回転可能に支承するボールベアリング６６の径と同じ径の球面状の支承部６７ａが設けられている。また、受座部材６７の他端部には、付勢部材であるコンプレッションスプリング６８の一端部が嵌装されるスプリング嵌挿部６７ｂが設けられている。コンプレッションスプリング６８の他端部は、シャフト６２の先端面に当接しており、ボールベアリング６６の一部が出没孔６３ｄから突出するように付勢されている。これらスライド部材６３、ボールベアリング６６、受座部材６７、コンプレッションスプリング６８によってボールユニットが構成されている。このボールユニットは、出没孔６３ｄから凸部材を出没可能であって突出する方向に付勢することができればどのように構成してもよい。
【００２１】
カム機構７は、ケース６１に対するシャフト６２の回動、すなわち、第１筐体２に対する第２筐体３の回動を制御するものである。カム機構７は、第１筐体２に対して第２筐体３を所定の位置にロック状態に保持するものである。カム機構７は、例えば、第１筐体２に対して第２筐体３を０°〜４０°の角度の範囲で回動し得る場合、４０°の角度でロック状態に保持するように構成されていることが好ましい。この場合の角度とは、第１筐体２の上下方向に延びる直線と第２筐体３の上下方向に延びる直線との角度（回動角度ということがある。）であり、この角度が０°のときに、第１筐体２と第２筐体３が互いに重なり合った閉成状態やスライド開成状態等の平行状態となる場合である。
【００２２】
カム機構７は、シャフト６２の先端部近傍の外周にその軸周りに取り付けられた第１カム７１と、ケース６１内にシャフト６２の軸方向に移動可能に設けられ、第１カム７１と面接触する第２カム７２と、ケース６１内に設けられ、第２カム７２を第１カム７１に付勢する付勢手段７３と、第１カム７１の接触面と第２カム７２の接触面の少なくとも一方の面例えば第１カム７１の接触面に設けられるカム凸部７４と、第１カム７１の接触面と第２カム７２の接触面の少なくとも他方の面例えば第２カム７２の接触面の他方に設けられ、カム凸部７４と係合して第１筐体２と第２筐体３の位置を所定の位置にロック状態に保持するカム凹部７５とで構成されていることが好ましい。
【００２３】
第１カム７１は、図４〜図６及び図９に示すように、円筒状に形成されている。第１カム７１の周面の対向する２箇所には、シャフト６２に取り付けるための取付孔７１ａが設けられている。第１カム７１は、内部にスライド部材６３の基部６３ａが挿嵌される寸法の径で形成されている。すなわち、シャフト６２の先端部には、取付ピン６５によってスライド部材６３及び第１カム７１が取り付けられる。第１カム７１のケース６１側の面（第１カム面ということがある。）には、例えば、カム凸部７４が３つ設けられている。これらのカム凸部７４は、１２０°間隔で第１カム７１面に設けられている。これらのカム凸部７４の形状は、特に限定されないが、先端部がＲ形状の略三角形状に突出して形成されている。これらカム凸部７４間の第１カム面は、平面状に形成されていることが好ましい。
【００２４】
第２カム７２は、図４〜図６及び図１０に示すように、ケース６１内のカム摺動部６１ｃに摺動可能に嵌合して収容されている。この第２カム７２は、両側部が湾曲状に形成された略矩形状に形成され、この中央部には、シャフト６２が貫通する貫通孔７２ａが設けられている。第２カム７２の両側部には、ケース６１と係合して第２カム７２のシャフト６２の軸周りの回転を防止する回転防止部７２ｂが設けられており、第２カム７２はシャフト６２の軸方向に移動可能であるが、その軸周りに回転できないようになっている。
【００２５】
第２カム７２の第１カム７１側の面（第２カム面ということがある。）には、カム凸部７４と係合するカム凹部７５が３つ設けられている。３つのカム凹部７５は、第２カム面の周方向に１２０°間隔で第２カム面に設けられている。これらカム凹部７５間の第２カム面は平面状に平面部７２ｄとして形成されていることが好ましい。３つのカム凹部７５は、例えば、回動角度が５０°、１７０°、２９０°でカム凸部７４と嵌合し得る形状に形成されていることが好ましい。これにより、閉成状態では回動角度が０°であり、このとき、カム凸部７４が平面部７２ｄ上に位置されており、付勢手段７３であるコンプレッションスプリング７３ａの付勢力によって第１カム７１は第２カム７２に対してその位置に停止すると共に、回動角度が０°から４０°に第１筐体２に対して第２筐体３が回動する途中でカム凸部７４がカム凹部７５を形成する傾斜面７２ｃに至るようになっている。また、第２カム７２の残りの面（付勢面ということがある。）は、平面状に形成されていることが好ましい。この付勢面とケース６１の底部との間には、付勢手段７３が設けられている。
【００２６】
付勢手段７３は、例えば、コンプレッションスプリング７３ａ等である。コンプレッションスプリング７３ａは、シャフト６２の周面にその軸周りに設けられると共に、ケース６１のスプリング収容部６１ｂに収容される。コンプレッションスプリング７３ａの一端部は、第２カム７２の付勢面に当接されていると共に、他端部はケース６１の底部に当接され、第２カム７２を第１カム７１に押圧するように付勢するものである。これにより、第１カム７１と第２カム７２との間に作用する摩擦力がそれぞれ大きくなって第１筐体２と第２筐体３をその回動範囲の任意の位置で停止することができるようになっている。
【００２７】
ガイド溝５は、図１及び図２に示すように、ガイド部材６と係合して第１筐体２と第２筐体３を互いに直線方向にスライド可能に支持すると共に第１筐体２と第２筐体３を互いに回動可能に支持するものである。ガイド溝５は、第２筐体３の両側部に直線状に延びると共に断面略凹状にそれぞれ形成されている。
【００２８】
ガイド溝５は、スライド部材６３のスライド部６３ｂがガイド溝５内に嵌入されて係合し得る深さ及び幅で形成されていることが好ましい。これにより、第１筐体２と第２筐体３が互いに上下方向の直線方向に閉成状態と開成状態との間でスライドし得ると共に、第１筐体２と第２筐体３が互いに回動し得るようになっている。
【００２９】
また、ガイド溝５には、スライド部材６３の出没孔６３ｄから突出するボールベアリング６６が係合する球面状のボール係合部５１が設けられていることが好ましい。このボール係合部５１は、閉成状態のときと開成状態のときの２つの状態でボールベアリング６６と係合するようにガイド溝５の２箇所に設けられていることが好ましい。また、ガイド溝５内には、ボールベアリング６６が摺動するボール摺動部５３が設けてもよい。ボール摺動部５３は、ボール係合部５１より深さが浅い例えば断面円形状に形成されていることが好ましい。ボール摺動部５３は、例えば、ボール係合部５１を連結すると共に、ボールベアリング６６がスライド移動するときボールベアリング６６と対向する直線上に形成されている。
【００３０】
また、ガイド部材６及びガイド溝５を第１筐体２及び第２筐体３に第１筐体２及び第２筐体３の回動が規制されるように設けられていることが好ましい。すなわち、閉成状態において第１筐体２の上面と第２筐体３の下面とを近接させて第２筐体３が第１筐体２に接触して第１筐体２に対して第２筐体３が回動しないようにガイド部材６及びガイド溝５を配置するようにする。このとき、回動許容部１１を第１筐体２及び第２筐体３のどちらか一方または両方に、例えば、第１筐体２に設けるようにする。
【００３１】
回動許容部１１は、第１筐体２及び第２筐体３を閉成状態から互いにスライドさせて開成状態になったとき、第１筐体２及び第２筐体３の回転を許容すると共に、第１筐体２に対する第２筐体３が所定の角度例えば回動角度が４０°になったとき、その回転を停止するものである。回動許容部１１は、例えば、第１筐体２の上面に凹状に形成されている。すなわち、第１筐体２及び第２筐体３が互いにスライドしてスライド開成状態になったとき、第２筐体３の端部が接する位置に凹状の回動許容部１１を設けて、第２筐体３が回動し得るようにすることが好ましい。また、この回動許容部１１は、第１筐体２に対して第２筐体３が回動角度４０°になると、その回動が停止するようなストッパ部１１ａを有する、例えば、側面略三角形状に形成されていることが好ましい。これにより、第１筐体２及び第２筐体３が閉成状態から互いにスライドしてスライド開成状態になると、カム機構７の付勢力により第１筐体２に対して第２筐体３がシャフト６２を軸に回転してその回動角度が４０°になると回転が停止されるように構成されている。この回動角度が４０°になった状態がフルオープン開成状態である。なお、図１中、符号１５は第１筐体２に対する第２筐体３のスライドを容易にするためのガイド案内部材を示す。
【００３２】
また、ダンパー機構８を用いて図１、図２及び図４〜図６に示すようにケース６１に対するシャフト６２の回動、すなわち、第１筐体２に対する第２筐体３の回動をダンパー効果を介して行うようにしてもよい。ダンパー機構８は、例えば、スライド部材６３の基部６３ａの外周に装着されるＯリング８１と、スライド部材６３の基部６３ａの軸周りに配置されると共に第１筐体２に取り付けられるダンパーケース８２と、このダンパーケース８２内に注入される粘性剤とからなることが好ましい。Ｏリング８１は、摩擦係数が大きい材料例えば合成ゴム等で形成されているものが好ましい。このＯリング８１を例えば４つスライド部材６３の基部６３ａの外周に設けることが好ましい。粘性剤は、粘性が高い材料が好ましく、例えば、グリース等であることが好ましい。
【００３３】
次に本発明に係る携帯機器の作用を説明する。
【００３４】
携帯機器１が使用されていない通常の状態では、第１筐体２と第２筐体３が互いに重なり合った閉成状態である。このとき、コンプレッションスプリング６８の付勢力によって、ボールベアリング６６がボール係合部５１に係合しているので、スライドすることがない。また、第２筐体３は第１筐体２に接しているので、第１筐体２及び第２筐体３が互いに回動することがない。その結果、第１筐体２と第２筐体３が閉成状態に保持される。なお、この閉成状態をより確実に維持するために、ロック機構を設けるようにしてもよい。
【００３５】
この携帯機器１を使用する場合には、例えば、第１筐体２に対して第２筐体３がスライドして開成状態になるように第２筐体３に力を作用させる。これにより、第１筐体２に対して第２筐体３がスライドしてスライド開成状態になると、第１筐体２に接した個所が第１筐体２の回動許容部１１に至る。このとき、カム凸部７４が平面部７２ｄ上に位置、すなわち、カム凸部７４がカム凹部７５内ではなく平面部７２ｄ上に乗り上げた状態に位置されているので、付勢手段７３であるコンプレッションスプリング７３ａの付勢力によって第１筐体２に対して第２筐体３がスライド開成状態に停止される。このため、このスライド開成状態で携帯機器１を使用することができる。
【００３６】
また、スライド開成状態から第１筐体２に対して第２筐体３を開く方向に力を作用させると、カム凸部７４が平面部７２ｄ上を移動すると共に、第１筐体２に接した第２筐体３の個所が回動許容部１１内に入り込むと共に、第１筐体２に対して第２筐体３がシャフト６２を軸に回転する。そして、カム凸部７４がカム凹部７５を形成する傾斜面７２ｃに至ると、コンプレッションスプリング７３ａの付勢力により第１筐体２に対して第２筐体３が開く方向に自動的に回動し、その回動角度が４０°になると第１筐体２が回動許容部１１のストッパ部１１ａに当接して第２筐体３の回転が停止される。すなわち、第１筐体２に対して第２筐体３が回転して回動角度が４０°になると停止し、フルオープン開成状態になる。
【００３７】
このとき、コンプレッションスプリング６８の付勢力によって、ボールベアリング６６がボール係合部５１に係合しているので、スライドすることがない。また、カム凸部７４がカム凹部７５に完全に嵌合していないでカム凹部７５を形成する傾斜面７２ｃに接しているために、第１筐体２に対して第２筐体３は回動しようとするが、第２筐体３は第１筐体２の回動許容部１１のストッパ部１１ａに当接しているので、第１筐体２及び第２筐体３が互いに回動することがないと共に、第１筐体２と第２筐体３がガタツクことがない。その結果、第１筐体２と第２筐体３がフルオープン開成状態に保持される。なお、このフルオープン開成状態をより確実に維持するために、ロック機構を設けるようにしてもよい。
【００３８】
これにより、第１筐体２の上面に設けたキーボードが露出するので、キーボード操作が可能となり、携帯機器１を使用し得る状態になる。このとき、キーボードが設けられている第１筐体２の上面とディスプレイ３１が設けられている第２筐体３の上面とが平行でなく傾斜した状態であるために、キーボードを操作する際には、ディスプレイ３１が見やすい状態であるので、操作性が向上する。
【００３９】
使用後、閉成状態に戻すには、カム機構７の付勢力に抗して回動角度が４０°から０°になるように第２筐体３を第１筐体２に対して回動させる。回動後、第２筐体３を第１筐体２に対してスライド開成状態から閉成状態へとスライドさせる。これにより、コンプレッションスプリング６８の付勢力によって、ボールベアリング６６がボール係合部５１に係合して閉成状態に保持される。すなわち、第１筐体２と第２筐体３が互いに重なり合った閉成状態となる。
【００４０】
したがって、本発明に係る携帯機器１は、第２筐体３にガイド溝５を設けると共に第１筐体２にガイド部材６を設け、かつ、このガイド部材６がケース６１とシャフト６２とスライド部材６３とカム機構７とを有するので、第２筐体３を第１筐体２に対してスライドさせることができると共に回動させることができる。その結果、第１筐体２に対する第２筐体３の位置を任意に設定することができるので、使い勝手がよく、ディスプレイ３１を有効に利用することができる。
【００４１】
また、第１筐体２と第２筐体３を互いにスライドさせる際に、第２筐体３を第１筐体２に対してスライドさせている途中でこのスライドを停止すると、その位置に第２筐体３を停止することができる。すなわち、第２筐体３を第１筐体２に対してスライドさせると、ボールベアリング６６がガイド溝５内のボール摺動部５３に摺動しつつコンプレッションスプリング６８の付勢力によりボール摺動部５３に押圧されている。このため、第２筐体３を停止すると、ボールベアリング６６とボール摺動部５３の接触による摩擦力によって第２筐体３はその位置に停止する。よって、第２筐体３を第１筐体２に対して所望の位置に停止させることができる。
【００４２】
また、ダンパー機構８を用いることにより、ケース６１に対するシャフト６２の回動、すなわち、第１筐体２に対する第２筐体３の回動がダンパー効果を介して行われるために、第２筐体３の第１筐体２に対するスライド開成状態からフルオープン開成状態までの回動（いわゆるホップアップ）を緩やかにすなわちソフトに行うことができる。
【００４３】
なお、本発明においてカム凹部７５をカム凸部７４と嵌合し得るように形成すると共にこれらカム凹部７５間の第２カム面を平面部７２ｄとして形成したが、カム凹部７５の形状は、他の形状に形成してもよく、このカム凹部７５の形状によって第１筐体２に対する第２筐体３の回動を制御することができる。例えば、カム凹部７５の形成範囲を第２カム面の周方向の略１２０°で形成する、すなわち、第２カム面の略全域に３つのカム凹部を設けるようにしてもよい。このように構成すると、回動角度が０°のとき、カム凹部の傾斜面にカム凸部が接触して回動角度が５０°になるように第１カムが回動付勢される。その結果、第１筐体に対して第２筐体を閉成状態からスライド開成状態にスライドさせると、カム機構により自動的に第１筐体に対して第２筐体がスライド開成状態からフルオープン開成状態に回動するので、操作性が一層向上する。
【００４４】
また、ガイド部材６及びガイド溝５を第１筐体２及び第２筐体３の回動が規制されるように設けたが、ガイド部材及びガイド溝を第１筐体及び第２筐体の回動が常に行われるように設けてもよい。この場合、カム機構により回動角度が０°及び１つまたは２以上の角度で第１筐体２に対する第２筐体を保持するようにすなわち停止位置が１箇所または２箇所以上となるようにカム機構を構成することが好ましい。このように構成すれば、スライド開成状態でなくても第２筐体を第１筐体に対して回動させることができる。その結果、ディスプレイの位置や角度を任意に設定することができる。また、０°〜１８０°の回動角度の範囲で第１筐体及び第２筐体が回動するようにしてもよく、これにより、第２筐体を第１筐体に対して反転することができる。また、回動許容部１１を１つ設けたが、２つ以上設けてスライドの中間位置でも第１筐体と第２筐体との回動を行うようにしてもよい。
【産業上の利用可能性】
【００４５】
以上説明したように本発明に係る携帯機器は、一方の筐体にガイド溝を設けると共に他方の筐体にガイド溝にスライド係合するガイド部材を設け、かつ、ガイド部材が、他方の筐体に設けられたケースと、このケースに回動可能に設けられたシャフトと、このシャフトに取り付けられ、ガイド溝に回動することなくスライド係合するスライド部材と、ケースに対するシャフトの回動を制御するカム機構とを有するので、第２筐体を第１筐体に対してスライドさせることができると共に回動させることができることから、特に携帯端末機に用いるものとして好適なものである。
【図面の簡単な説明】
【００４６】
【図１ａ】本発明に係る携帯機器の一例を示す図で、（ａ−１）は閉成状態を示す斜視図、（ａ−２）はスライド開成状態を示す斜視図、（ａ−３）はフルオープン開成状態を示す斜視図である。
【図１ｂ】本発明に係る携帯機器の一例を示す図で、（ｂ−１）は閉成状態を示す側面図、（ｂ−２）はスライド開成状態を示す側面図、（ｂ−３）はフルオープン開成状態を示す側面図である。
【図１ｃ】本発明に係る携帯機器の一例を示す図で、（ｃ−１）は閉成状態におけるガイド部材の一例を示す側面図、（ｃ−２）はスライド開成状態におけるガイド部材の一例を示す側面図、（ｃ−３）はフルオープン開成状態におけるガイド部材の一例を示す側面図である。
【図２】本発明に係る携帯機器のスライド開成状態を示す斜視図である。
【図３ａ】本発明に係る携帯機器の一例を示す破断図で、（ａ−１）はスライド途中の状態を示す側面図、（ａ−２）はスライド開成状態を示す側面図、（ａ−３）はフルオープン開成状態を示す側面図である。
【図３ｂ】本発明に係る携帯機器の一例を示す破断図で、（ｂ−１）はスライド途中の状態を示す斜視図、（ｂ−２）はスライド開成状態を示す斜視図、（ｂ−３）はフルオープン開成状態を示す斜視図である。
【図４】本発明に係る携帯機器の要部の一例を示す概略断面図である。
【図５】本発明に係るガイド部材の一例を示す斜視図で、（ａ）及び(ｂ)はダンパー機構を有するガイド部材の一例を示す図で、（ｃ）はダンパー機構がない状態のガイド部材の一例を示す図で、（ｄ）はダンパー機構及びカム機構がない状態のガイド部材の一例を示す図である。
【図６】本発明に係るガイド部材の一例を示す分解図である。
【図７】本発明に係るケースの一例を示す図、（ａ）は斜視図、（ｂ）は断面図、（ｃ）は正面図である。
【図８】本発明に係るスライド部材の一例を示す図、（ａ）は斜視図、（ｂ）は断面図である。
【図９】本発明に係る第１カムの一例を示す図、（ａ）は平面図、（ｂ）は斜視図、（ｃ）は側面図である。
【図１０】本発明に係る第２カムの一例を示す図、（ａ）は平面図、（ｂ）は斜視図、（ｃ）は側面図である。
【符号の説明】
【００４７】
１  携帯機器
２  第１筐体
３  第２筐体
４  開閉機構
５  ガイド溝
６  ガイド部材
７  カム機構
８  ダンパー機構
１１  回動許容部
６１  ケース
６２  シャフト
６３  スライド部材
７１  第１カム
７２  第２カム
７３  付勢手段
７４  カム凸部
７５  カム凹部
【図１ａ】
2007148817.tif 000003
【図１ｂ】
2007148817.tif 000004
【図１ｃ】
2007148817.tif 000005
【図２】
2007148817.tif 000006
【図３ａ】
2007148817.tif 000007
【図３ｂ】
2007148817.tif 000008
【図４】
2007148817.tif 000009
【図５】
2007148817.tif 000010
【図６】
2007148817.tif 000011
【図７】
2007148817.tif 000012
【図８】
2007148817.tif 000013
【図９】
2007148817.tif 000014
【図１０】
2007148817.tif 000015